(57)【要約】
【課題】  直流不停電電源供給器を具えたマウスパッドの提供。
【解決手段】  移動式の直流不停電電源供給器の機能を具えたマウスパッドであり、電池充電回路、検出回路、昇圧回路及び充電式電池を具え、交流直流電源変換供給器が外接されてマウス内部の電池に対して充電を行ない、ノートブック型コンピュータ、フラットパネルコンピュータ等、組み合わされる製品の電源を供給し、商用電源停電時にマウスパッドが即刻内部電池を起動して組み合わされる製品の電源を供給し、組み合わされる製品の電源を不停電として作業時間を延長させる。
【選択図】        図１
0003101228.tif 000002
【実用新案登録請求の範囲】
【請求項１】
電池充電回路、検出回路、昇圧回路及び充電式電池を具え、交流直流電源変換供給器が外接され、もう一端に組み合わされる製品が接続され、商用電源が正常な電力供給状態の時、交流直流電源変換供給器がマウスパッド内部の電池に対して充電を行ない、並びに組み合わされる製品に電源を供給し、商用電源が停電時、マウスパッドが即刻内部電池を起動して組み合わされる製品の電源を供給するよう形成されたことを特徴とする、直流不停電電源供給器を具えたマウスパッド。
【請求項２】
請求項１記載の直流不停電電源供給器を具えたマウスパッドにおいて、電池充電回路内部に電圧安定化制御充電回路が設けられたことを特徴とする、直流不停電電源供給器を具えたマウスパッド。
【請求項３】
請求項１記載の直流不停電電源供給器を具えたマウスパッドにおいて、検出回路内部に電池充電過圧過流検出回路、電池容量検出・電圧安定化及び表示回路及びスイッチ回路ドライバが設けられたことを特徴とする、直流不停電電源供給器を具えたマウスパッド。
【請求項４】
請求項１記載の直流不停電電源供給器を具えたマウスパッドにおいて、昇圧回路内部に制御回路が設けられたことを特徴とする、直流不停電電源供給器を具えたマウスパッド。
【請求項５】
請求項１記載の直流不停電電源供給器を具えたマウスパッドにおいて、組み合わされる製品がノートブック型コンピュータ或いはフラットパネルコンピュータとされたことを特徴とする、直流不停電電源供給器を具えたマウスパッド。
【考案の詳細な説明】
【技術分野】
【０００１】
本考案は直流不停電電源供給器を具えたマウスパッドに係り、特に、移動式の直流不停電電源供給器の機能を具えたマウスパッドであり、商用電源停電時に本マウスパッドが即刻内部電池を起動して組み合わされる製品の電源を供給し、組み合わされる製品の電源を不停電として作業時間を延長させることができる、マウスパッドに関する。
【背景技術】
【０００２】
一般に周知のマウスパッドは、マウスをその上でスライドさせるのに用いられ、その他の機能を具備していない。また、不停電電源供給システム及び電源供給器等の商品も単一機能を具備するだけで、消費者はその機能を利用するためには対応する商品を購入しなければならず、システム重量、体積が大きくなり、携帯に不便となり、旅行者の需要に適合しない。
【考案の開示】
【考案が解決しようとする課題】
【０００３】
本考案は上述の背景技術の欠点を鑑み、それを改善した一種の直流不停電電源供給器を具えたマウスパッドを提供するものである。
【０００４】
ゆえに、本考案の目的は、一種の直流不停電電源供給器を具えたマウスパッドを提供することにあり、本考案のマウスパッドは交流直流電源変換供給器に外接されてノートブック型コンピュータ、フラットパネルコンピュータ等の製品に組み合わされ、商用電源が完全に正常な電力供給状態にある時は、交流直流電源変換供給器がマウスパッド内部の電池に対して充電を行ない、並びに組み合わされた製品の電源要求に対応し、商用電源が電力供給を停止した時は、マウスパッドが即刻内部電池を駆動して組み合わされた製品の電源要求に対応し、組み合わされた製品に電源の不停電機能と自身の作業時間の延長機能を提供する。
【課題を解決するための手段】
【０００５】
請求項１の考案は、電池充電回路、検出回路、昇圧回路及び充電式電池を具え、交流直流電源変換供給器が外接され、もう一端に組み合わされる製品が接続され、商用電源が正常な電力供給状態の時、交流直流電源変換供給器がマウスパッド内部の電池に対して充電を行ない、並びに組み合わされる製品に電源を供給し、商用電源が停電時、マウスパッドが即刻内部電池を起動して組み合わされる製品の電源を供給するよう形成されたことを特徴とする、直流不停電電源供給器を具えたマウスパッドとしている。
請求項２の考案は、請求項１記載の直流不停電電源供給器を具えたマウスパッドにおいて、電池充電回路内部に電圧安定化制御充電回路が設けられたことを特徴とする、直流不停電電源供給器を具えたマウスパッドとしている。
請求項３の考案は、請求項１記載の直流不停電電源供給器を具えたマウスパッドにおいて、検出回路内部に電池充電過圧過流検出回路、電池容量検出・電圧安定化及び表示回路及びスイッチ回路ドライバが設けられたことを特徴とする、直流不停電電源供給器を具えたマウスパッドとしている。
請求項４の考案は、請求項１記載の直流不停電電源供給器を具えたマウスパッドにおいて、昇圧回路内部に制御回路が設けられたことを特徴とする、直流不停電電源供給器を具えたマウスパッドとしている。
請求項５の考案は、請求項１記載の直流不停電電源供給器を具えたマウスパッドにおいて、組み合わされる製品がノートブック型コンピュータ或いはフラットパネルコンピュータとされたことを特徴とする、直流不停電電源供給器を具えたマウスパッドとしている。
【考案の効果】
【０００６】
本考案の直流不停電電源供給器を具えたマウスパッドは、移動式の直流不停電電源供給器を具えたマウスパッドであり、ノートブック型コンピュータ、フラットパネルコンピュータ等の電池を電源として採用する機器、設備或いは任意の同じ要求性の製品に使用され、直流電源を供給電源とする製品を、商用電源がなかったり或いは停電の状態下でも続けて使用できるようにする。その実用性は明らかであり、また本考案の構造はその出願前に頒布された刊行物に記載がなく、また公開使用されておらず、ゆえに新規性を有する。
【考案を実施するための最良の形態】
【０００７】
図１に示されるように、本考案のマウスパッド１内には電池充電回路１１、検出回路１２、昇圧回路１３及び充電式電池１４が設けられている。該マウスパッド１の一端には交流直流電源変換供給器２が外接され、もう一端には組み合わされる製品３、例えばノートブック型コンピュータ、フラットパネルコンピュータ或いはその他の直流電源供給を受ける設備、計器等の製品が接続される。商用電源４が完全に正常な電力供給状態にある時は、外接された交流直流電源変換供給器２がマウスパッド１内部の電池に対して充電を行ない、並びに組み合わされる製品３の電源要求に対応する。商用電源４が電力供給を停止した時、マウスパッド１は即刻内部の充電式電池１４を起動して組み合わされる製品３の電源要求に対応し、これにより組み合わされる製品３に不停電の電源供給と作業時間を延長させる機能を提供する。
【０００８】
前述のマウスパッド１の細部構造については図２に示されるようであり、電池充電回路１１内部に電圧安定化制御充電回路１１１があり、交流直流電源変換供給器２より入力される直流電圧２１を電池充電回路１１を介して電池充電電圧出力１１２となす。
【０００９】
図３に示されるように、検出回路１２内部には電池充電過圧過流検出回路１２１、電池容量検出・電圧安定化及び表示回路１２２とスイッチ回路ドライバ１２３が設けられ、電池充電電圧出力１１２を検出回路１２を通して電池検出状態出力１２４となす。
【００１０】
図４に示されるように、昇圧回路１３内部には制御回路１３１が設けられ、電池検出状態出力１２４は昇圧回路１３を通り、出力端１３２より組み合わされる製品３（図１）に出力され、こうして電源を提供する。
【図面の簡単な説明】
【００１１】
【図１】本考案の回路ブロック図である。
【図２】本考案の電池充電回路の回路ブロック図である。
【図３】本考案の検出回路の回路ブロック図である。
【図４】本考案の昇圧回路の回路ブロック図である。
【符号の説明】
【００１２】
１  マウスパッド                          １１  電池充電回路
１１１  電圧安定化制御充電回路            １１２  電池充電電圧出力
１２  検出回路
１２１  電池充電過圧過流検出回路
１２２  電池容量検出・電圧安定化及び表示回路
１２３  スイッチ回路ドライバ
１２４  電池検出状態出力
１３  昇圧回路
１３１  制御回路
１３２  出力端
１４  充電式電池
２  交流直流電源変換供給器
２１  直流電圧
３  組み合わされる製品
４  商用電源
【図１】
0003101228.tif 000003
【図２】
0003101228.tif 000004
【図３】
0003101228.tif 000005
【図４】
0003101228.tif 000006